(57)【特許請求の範囲】
【請求項１】
上方から受ける荷重に応じて高さが変化する被包装物を包装する段ボール包装箱であって、
多角筒状の胴部と、該胴部の上下を閉塞する蓋板とを備え、
前記胴部は、水平方向に延びる帯状の屈曲可能部を備え、上方から付与される荷重に応じて前記屈曲可能部が胴部の内方に突出するように屈曲するものにおいて、
前記屈曲可能部は、前記胴部の角部を開放する開放部を介して不連続に設けられ、
前記屈曲可能部は、互いに平行に形成された一対の第１折曲げ可能線と、両第１折曲げ可能線間の中央に沿って形成されて第１折曲げ可能線の折り曲げ方向と反対方に折り曲げられる第２折曲げ可能線とを備え、
前記第２折曲げ可能線は、前記胴部を貫通する把持部を介して不連続に設けられており、
各折曲げ可能線は、復元力をもって弾発的に折曲げ可能とされている
ことを特徴とする段ボール包装箱。
【請求項２】
前記第２折曲げ可能線は、前記胴部を貫通する孔部を介して不連続に設けられていることを特徴とする請求項１記載の段ボール包装箱。
【発明の詳細な説明】
【技術分野】
【０００１】
本発明は、上方から受ける荷重に応じて高さが変化する被包装物に好適な段ボール包装箱に関する。
【背景技術】
【０００２】
従来、四角筒状の胴部と、該胴部の上下を閉塞する蓋板とを備える段ボール包装箱においては、例えば、被包装物として合成樹脂製ボトルを包装することが行われる。
【０００３】
しかし、合成樹脂製ボトルは、上方からの荷重により高さが低くなるように変形するが、近年では、このときの変形量が許容範囲内であれば比較的大きく変形しても品質上問題が生じないものが多い。このため、合成樹脂製ボトルを包装した段ボール包装箱は、上方から荷重を受けると、高さが変化する合成樹脂製ボトルの変形に追従できず、胴膨れや座屈に伴う不規則な皺等の損傷部分が生じて外観が著しく低下する。
【０００４】
そこで、胴部の一部に屈曲し易い部分を予め形成しておき、上方から荷重が付与されたときに、胴部の一部を積極的に全周にわたって屈曲させることにより、不規則な皺等の発生を抑えて外観低下を防止する包装箱が知られている（例えば、特許文献１、２参照）。
【先行技術文献】
【特許文献】
【０００５】
【特許文献１】特開２００１−７２０４４号公報
【特許文献２】特開２００５−５３５５２号公報
【発明の概要】
【発明が解決しようとする課題】
【０００６】
しかし、従来のように胴部の一部に屈曲し易い部分を予め形成しても、胴部の角部においては屈曲変形を吸収することはできず、胴部の角部に不規則な皺が生じるために、外観上は潰れと同等の印象を与えてしまう不都合がある。
【０００７】
上記の点に鑑み、本発明は、上方から荷重を受けたときの被包装物の高さの変化に確実に追従させることができるだけでなく、胴部に不規則な皺等を発生させることなく良好な外観を維持することができる段ボール包装箱を提供することを目的とする。
【課題を解決するための手段】
【０００８】
かかる目的を達成するために、本発明は、上方から受ける荷重に応じて高さが変化する被包装物を包装する段ボール包装箱であって、多角筒状の胴部と、該胴部の上下を閉塞する蓋板とを備え、前記胴部は、水平方向に延びる帯状の屈曲可能部を備え、上方から付与される荷重に応じて前記屈曲可能部が胴部の内方に突出するように屈曲するものにおいて、前記屈曲可能部は、前記胴部の角部を開放する開放部を介して不連続に設けられていることを特徴とする。
【０００９】
本発明の屈曲可能部は、前記胴部の角部を開放する開放部を介して不連続であることにより、胴部の角部を除く各周壁面に設けられている。そして、蓋板上から下方に向って荷重を受けると、蓋板に押圧された被包装物の高さの変化に追従して屈曲可能部が屈曲する。これにより、角部を除く各周壁面は、屈曲可能部によって歪が吸収され、不規則な皺等の発生が防止される。そして、本発明によれば、前記開放部を設けたことによって、胴部の内方に向って突出するように屈曲した屈曲可能部が胴部の角部で干渉することがなく、屈曲動作が円滑に行われるようにすることができると共に、胴部の角部における皺等の発生を確実に防止することができる。従って、本発明の段ボール包装箱によれば、胴部に不規則な皺等を発生させることなく良好な外観を維持することができる。
【００１０】
また、本発明において、前記屈曲可能部は、互いに平行に形成された一対の第１折曲げ可能線と、両第１折曲げ可能線間の中央に沿って形成されて第１折曲げ可能線の折り曲げ方向と反対方に折り曲げられる第２折曲げ可能線とを備え、各折曲げ可能線は、復元力をもって弾発的に折曲げ可能とされていることを特徴とする。
【００１１】
これによれば、上方から胴部に付与される荷重により屈曲可能部が屈曲するとき、各折曲げ可能線が折り曲げられる際に生じる弾性力を上方からの荷重に抗して作用させることができるので、被包装物に付与される荷重を軽減することができる。よって、被包装物を確実に保護して良好な包装状態を維持することができる。
【００１２】
また、このとき、前記第２折曲げ可能線は、前記胴部を貫通する孔部を介して不連続に設けられていることが好ましい。これによれば、孔部の大きさ或いは孔部の数によって屈曲可能部が屈曲する際に第２折曲げ可能線の折曲げ弾性を調節することができる。
【図面の簡単な説明】
【００１３】
【図１】本発明の実施形態の段ボール包装箱を示す斜視図。
【図２】本実施形態の段ボール包装箱の展開図。
【図３】本実施形態の段ボール包装箱の屈曲可能部が屈曲した状態を示す斜視図。
【図４】屈曲可能部の屈曲状態を平面視した説明図。
【図５】本実施形態の段ボール包装箱の作用を示す要部の説明的断面図。
【発明を実施するための形態】
【００１４】
本発明の一実施形態を図面に基づいて説明する。本実施形態の包装箱１は、図１に組立状態を示すように、四角筒状の胴部２と、該胴部２の上端を閉塞する天蓋板３（蓋板）と、該胴部２の下端を閉塞する底蓋板４（蓋板）とによって直方体状に形成されている。
【００１５】
包装箱１の胴部２内には複数の合成樹脂製（例えばポリエチレンテレフタレート製）ボトルＷ（図５に一部を示す）が被包装物として収容される。
【００１６】
包装箱１は、図２に展開して示すように、一枚の段ボール板紙１ａから形成されている。なお、図２は、段ボール板紙１ａの裏面側を示している。段ボール板紙１ａは、第１側板５と、第１側板５の一側縁に折目線を介して連設された第２側板６と、第２側板６の一側縁に折目線を介して連設された第３側板７と、第３側板７の一側縁に折目線を介して連設された第４側板８とを備えている。更に、第１側板５の他側縁には折目線を介して接着片９が連設されている。
【００１７】
各側板５，６，７，８の夫々の上端縁には、折目線を介して天蓋フラップ１０，１１，１２，１３が連設されている。また、各側板５，６，７，８の夫々の下端縁には、折目線を介して底蓋フラップ１４，１５，１６，１７が連設されている。後述するが、天蓋フラップ１０，１１，１２，１３は天蓋板３を構成するものであり、底蓋フラップ１４，１５，１６，１７は底蓋板４を構成するものである。
【００１８】
接着片９、第１側板５、第２側板６、第３側板７、及び第４側板８には、帯状の屈曲可能部１８が設けられている。屈曲可能部１８は、各側板５，６，７，８の夫々の上端縁から所定距離を存した下方に位置し、図１に示すように水平方向に延びる。
【００１９】
屈曲可能部１８は、図２に示すように、互いに平行に形成された一対の第１折曲げ可能線１９，２０と、両第１折曲げ可能線１９，２０間の中央に沿って形成された第２折曲げ可能線２１とを備えている。第２折曲げ可能線２１は、屈曲可能部１８を上部屈曲片１８ａと下部屈曲片１８ｂとに区分している。
【００２０】
第１折曲げ可能線１９，２０は、段ボール板紙１ａの裏ライナ及び中芯を潰すようにして形成され、これによって、上部屈曲片１８ａと下部屈曲片１８ｂとが胴部２の内側に折り曲げられるように折り曲げ方向を案内している。第２折曲げ可能線２１は、段ボール板紙１ａの表ライナ及び中芯を潰すようにして形成され、上部屈曲片１８ａと下部屈曲片１８ｂとが互いに重合するように折り曲げ方向を案内している。これにより、後述するが、屈曲可能部１８の屈曲状態は、図３に示すように、包装箱１の外側から見て谷折り状に屈曲する。
【００２１】
また、屈曲可能部１８は、図２に示すように、４つの開放部２２によって不連続に設けられた状態となっている。即ち、開放部２２は、第１側板５と第２側板６の境界位置、第２側板６と第３側板７の境界位置、第３側板７と第４側板８の境界位置、接着片９と第１側板５との境界位置（組立後、第１側板５と第４側板８の境界位置）に夫々形成されている。そして、各開放部２２は、図１に示すように、組立状態の包装箱１における４つの角部を夫々開放する。
【００２２】
第２折曲げ可能線２１は、図２に示すように、互いに間隔を存して直線状に並ぶ孔部２３により不連続となっている。なお、第２側板６の屈曲可能部１８と第４側板８の屈曲可能部１８とに設けられている孔部２３は、他の孔部２３に比べて大きく開口した形状に形成されていることにより、把持部として用いることができるようになっている。
【００２３】
第１折曲げ可能線１９，２０及び第２折曲げ可能線２１は、段ボール板紙１ａが有する復元弾性により弾発的に折り曲げられるが、孔部２３の数や大きさによって第２折曲げ可能線２１の折り曲げ時の復元弾性が適度に調節されている。
【００２４】
図１に示す包装箱１は、図２に示す上記構成の段ボール板紙１ａから組み立てられる。即ち、段ボール板紙１ａの各側板５，６，７，８を夫々折目線に沿って同一方向に折り曲げ、次いで、第１側板５の端縁に連設されている接着片９を第４側板８の端部の内側面に重合させて接着する。これにより、四角筒状の胴部２が形成される。
【００２５】
続いて、各底蓋フラップ１４，１５，１６，１７を各折目線に沿って水平に折り曲げ、各底蓋フラップ１４，１５，１６，１７の重合部分を接着剤で接着することにより、底蓋板４が形成される。そして、胴部２の内部に被包装物（本実施形態においては複数本の合成樹脂製ボトルＷ）を入れる。その後、各天蓋フラップ１０，１１，１２，１３を各折目線に沿って水平に折り曲げ、各天蓋フラップ１０，１１，１２，１３の重合部分を接着剤で接着することにより、天蓋板３が形成され、図１に示すように、包装箱１が形成される。
【００２６】
次に、本実施形態の包装箱１の使用状態について、図１、図３、図４、図５の各図を参照して説明する。
【００２７】
包装箱１は、図１の状態で例えば輸送や保管時に積み重ねられる等により上方から荷重がかかる場合がある。この荷重によって、包装箱１は、図３に示すように、胴部２の全周にわたり、屈曲可能部１８が復元力をもって弾発的に屈曲するようになっている。このとき、屈曲した屈曲可能部１８は、図４に示すように、胴部２の内方に向って突出するが、各側板５，６（７，８）からその内側に突出した屈曲可能部１８は、開放部２２によって角部で干渉することなく、円滑に屈曲する。これにより、屈曲した屈曲可能部１８が胴部２の角部で不規則な皺等を形成することなく、図３に示すように、包装箱１として良好な外観が維持される。
【００２８】
ところで、包装箱１の内部には、図５（ａ）に示すように、合成樹脂製ボトルＷが包装されている。包装箱１の上方から荷重がかかると、この荷重は、天蓋板３を介して合成樹脂製ボトルＷに付与される。近年の合成樹脂製ボトルＷは、上方から荷重を受けるとその高さを縮小させる方向に柔軟に変形し、荷重の付与が解除されると元の形状に復元するようになってる。
【００２９】
そして、本実施形態の包装箱１は、図５（ｂ）に示すように、合成樹脂製ボトルＷが荷重を受けて高さが縮小するように変形すると、胴部２の屈曲可能部１８が屈曲して合成樹脂製ボトルＷの高さの変化に追従する。これにより、図３に示すように、屈曲可能部１８以外の胴部２の外面に不規則な皺等が発生することはない。
【００３０】
その後、包装箱１への荷重の付与が解除されると、屈曲可能部１８がその弾性により復元する。これにより、合成樹脂製ボトルＷが元の形状に復元する動作を阻害することなく、図１に示す状態となる。これにより、包装箱１は、良好な外観が維持される。
【００３１】
更に、本実施形態の包装箱１においては、図５（ｂ）に示すように、屈曲可能部１８が、合成樹脂製ボトルＷの上部に形成されている小径部分２４に対応する位置に配設されている。合成樹脂製ボトルＷの小径部分２４は、口部とその下方に連続する上端部に形成されている。そして、合成樹脂製ボトルＷの小径部分２４に対応する包装箱１の胴部２の内部においては、比較的大きな空間が形成される。そこで、屈曲可能部１８を、胴部２における合成樹脂製ボトルＷの小径部分２４に対応する位置に設けることで、胴部２の内方に突出して屈曲状態となる屈曲可能部１８を、合成樹脂製ボトルＷの小径部分２４の周囲に形成される空間に収容することができる。よって、屈曲する屈曲可能部１８と合成樹脂製ボトルＷとの干渉が防止でき、屈曲可能部１８の屈曲動作を円滑に行わせることができる。
【００３２】
なお、本実施形態においては、被包装物として合成樹脂製ボトルＷを挙げたが、これに限るものではく、上方から受ける荷重に応じて高さが変化する被包装物であれば好適に包装することができる。この場合、被包装物が他部より小径の部分を備えていれば、胴部２において当該小径部分に対応する位置に屈曲可能部１８を設けることが好ましい。
【００３３】
また、本実施形態においては、第２側板６の屈曲可能部１８と第４側板８の屈曲可能部１８とに設けられている孔部２３を把持部として用いるものを示したが、これに限るものではなく、第２側板６の屈曲可能部１８と第４側板８の屈曲可能部１８とに設けられている孔部２３は、第１側板５の屈曲可能部１８と第３側板７の屈曲可能部１８とに設けられている孔部２３と同一の形状とし、複数形成してもよい。
【００３４】
また、本実施形態においては、胴部２が四角筒状の包装箱１を示したが、本発明はこれに限るものではなく、図示しないが、三角筒状或いは五角以上の多角筒状の胴部を備える包装箱であってもよい。
【符号の説明】
【００３５】
１…包装箱（段ボール包装箱）、２…胴部、３…天蓋板（蓋板）、４…底蓋板（蓋板）、１８…屈曲可能部、１９，２０…第１折曲げ可能線、２１…第２折曲げ可能線、２２…開放部、２３…孔部。
【図１】
0006484414.tif 000002
【図２】
0006484414.tif 000003
【図３】
0006484414.tif 000004
【図４】
0006484414.tif 000005
【図５】
0006484414.tif 000006